(57)【要約】【課題】揺れる物その他の動く物（回転する物を含む）に取り付けても邪魔にならない御守りを提供する。【解決手段】  御守りＤは第１の御守り本体１と第２の御守り本体２からなるものとし、第１の御守り本体１は、ＩＣカードサイズ又は名刺サイズ若しくはこれらと同等サイズのカード基材１０と、カード基材１０の表面に印刷してなる御守りである旨の表示１１と、カード基材１０の表面全体又は一部に貼り付けたフィルム１２とからなり、第２の御守り本体２は、フィルム１２に着脱自在に吸着する吸着シート２０と、吸着シート２０を支持する支持シート２１と、支持シート２１の表面に印刷してなる御守りである旨２２の表示とからなるものとし、第１の御守り本体１から第２の御守り本体２を剥離・分離し、分離した第２の御守り本体２は吸着シート２０の吸着力によって被着体に一体に貼り付けられるようにした。【選択図】図１
2010279634.tif 000002
【特許請求の範囲】
【請求項１】
第１の御守り本体と第２の御守り本体とに分離可能な御守りであって、
前記第１の御守り本体は、ＩＣカードサイズ又は名刺サイズ若しくはこれらと同等サイズのカード基材と、該カード基材の表面に印刷してなる御守りである旨の表示と、前記カード基材の表面全体又は一部に貼り付けたフィルムとからなり、
前記第２の御守り本体は、前記フィルムに着脱自在に吸着する吸着シートと、該吸着シートを支持する支持シートと、該支持シートの表面に印刷してなる御守りである旨の表示とからなること
を特徴とする御守り。
【請求項２】
前記御守りは、交通安全、学業成就、商売繁盛、又は家内安全のうちいずれかの御守りであることを特徴とする請求項１に記載の御守り。
【発明の詳細な説明】
【技術分野】
【０００１】
本発明は、交通安全や学業成就などの御守りに関し、特に揺れる物その他の動く物（回転する物を含む）に取り付けても邪魔にならない御守りを提供することにある。
【背景技術】
【０００２】
従来、交通安全や学業成就などを願って御守りを購入する者も多い。購入した御守りが交通安全の御守りであるならば、その御守りは紐を使って車内のルームミラー、サンバイザー又はウインカーの操作レバーに吊るす等、運転者にとってよく見える場所に取り付けることが多い。また、学業成就の御守りであれば、それを紐でランドセルに吊るしている小学生も少なくない（紐で吊るす方式の御守りは、例えば特許文献１を参照）。
【０００３】
しかしながら、従来のように紐で吊る方式の御守りでは、揺れる物、例えば車内のルームミラーや、サンバイザー、ウインカーの操作レバー等に取り付けたら、その物の揺れに応じて御守りが大きく揺れてしまい、運転の邪魔になることもある。また、ランドセルに取り付けた場合は歩行中に御守りが大きく揺れて邪魔になることもある。
【０００４】
さらに、この従来方式の御守りは、回転する物、例えば車輌のハンドルには事実上取り付けることができない。ハンドルの回転時に紐がハンドルに絡まるおそれがあるからである。
【先行技術文献】
【特許文献】
【０００５】
【特許文献１】登録実用新案第３１０８３７２号公報
【発明の概要】
【発明が解決しようとする課題】
【０００６】
本発明は前記問題点を解決するためになされたものであり、その目的は、揺れる物その他の動く物（回転する物を含む）に取り付けても邪魔にならない御守りを提供することである。
【課題を解決するための手段】
【０００７】
前記目的を達成するために、本発明は、第１の御守り本体と第２の御守り本体とに分離可能な御守りであって、前記第１の御守り本体は、ＩＣカードサイズ又は名刺サイズ若しくはこれらと同等サイズのカード基材と、該カード基材の表面に印刷してなる御守りである旨の表示と、前記カード基材の表面全体又は一部に貼り付けたフィルムとからなり、前記第２の御守り本体は、前記フィルムに着脱自在に吸着する吸着シートと、該吸着シートを支持する支持シートと、該支持シートの表面に印刷してなる御守りである旨の表示とからなることを特徴とする。
【０００８】
前記御守りは、交通安全、学業成就、商売繁盛、又は家内安全のうちいずれかの御守りであるものとしてもよい。
【発明の効果】
【０００９】
本発明にあっては、御守りの具体的な構成として、第２の御守り本体がその吸着シートの吸着力によって第１の御守り本体に着脱自在に吸着する構成を採用した。このため、第１の御守り本体から第２の御守り本体を剥離・分離し、分離した第２の御守り本体は吸着シートの吸着力によって被着体に一体に貼り付くから、車内のルームミラーやウインカーの操作レバーあるいはランドセル等、揺れる物その他の動く物（回転する物を含む）に取り付けても邪魔にならない御守りを提供することができる。
【図面の簡単な説明】
【００１０】
【図１】図１は本発明に係る御守りの一実施形態の説明図であって、（ａ）は御守りの平面図、（ｂ）はＡ−Ａ線断面図である。
【図２】図２は第２の御守りの斜視図である。
【図３】図３は図１の御守りの使用形態の説明図である。
【発明を実施するための形態】
【００１１】
以下、本発明を実施するための最良の形態について、添付した図面を参照しながら詳細に説明する。
【００１２】
図１（ａ）（ｂ）に示した本実施形態の御守りＤは、第１の御守り本体１と第２の御守り本体２とに分離可能な御守りであって、第１の御守り本体１は、ＩＣカードサイズ又は名刺サイズ、若しくはこれらと同等サイズのカード基材１０と、カード基材１０の表面に印刷してなる御守りである旨の表示１１と、カード基材１０の表面全体に貼り付けたフィルム１２とから構成される。また、第２の御守り本体２は、前記第１の御守り本体１のフィルム１２に着脱自在に吸着する吸着シート２０と、吸着シート２０を支持する支持シート２１と、支持シート２１の表面に印刷してなる御守りである旨の表示２２とから構成される。
【００１３】
前記カード基材１０は上質紙等の紙類からなり、そのカード基材１０の表面に印刷されている御守りである旨の表示１１は、カラープリンタ等の印刷手段によって形成することができる。
【００１４】
前記カード基材１０の表面に印刷してある御守りである旨の表示１１の内容は、御守りの種類によって適宜変更される。例えば図１（ａ）のように交通安全の御守りＤであるなら、御守りである旨の表示１１は“交通安全御守護”という文字になる。学業成就、商売繁盛又は家内安全の御守りであるなら、それぞれの御守りに対応した文字が御守りである旨の表示１１としてカード基材１０の表面に印刷される。また、前記カード基材１０の表面には、御守りである旨の表示１１のほか、その御守りＤがどこの御守りであるのか、御守り１の出所を示す出所表示１４等も印刷してある。
【００１５】
前記フィルム１２は、無色透明又は有色透明のポリエチレンテレフタレート（ＰＥＴ）樹脂やポリプロピレン（ＰＰ）樹脂等のプラスチックフィルムからなり、透明の接着剤１３によってカード基材１０の表面に一体に貼り付けてある。
【００１６】
図１（ａ）（ｂ）の例では、カード基材１０の表面（具体的には、御守りである旨の表示１１がある面）全体にフィルム１２を貼り付けているが、カード基材１０の表面全体のうち一部だけに当該フィルム１２を貼り付ける方式を採用することもできる。
【００１７】
また、図示は省略するが、カード基材１０の両面全体にフィルム１２を貼り付けることによって、カード基材１０を当該フィルム１２で完全に被覆するようにもよい。この場合は、フィルム１２の外形寸法をカード基材１０の外形寸法より少し大きくし、カード基材１０の外周縁においてカード基材１０表裏面のフィルム１２を熱圧着することによって、カード基材１０の表面に当該フィルム１２を貼り付けることができる。
【００１８】
前記吸着シート２０は、そのシート表面に図２のようなミクロの穴からなる吸盤２０Ａを複数有する構造になっていて、被着体に吸着シート２０を軽く押し付けたときの脱気作用によって、第２の御守り本体２は適度な吸着力で被着体に貼り付く。このように第２の御守り本体２は、吸着シート２０の吸盤２０Ａによって貼り付く方式なので、艶のある面であればどのような素材の面でも貼り付くようになっている。なお、吸着シート２０の代わりに粘着剤等の糊を用いる方法も考えられるが、その方法では貼り替え時に被着体側に糊が残って見栄えが悪くなるおそれがある。
【００１９】
前記支持シート２１の構成素材については特に限定されないが、支持シート２１の表面には前述の通り御守りである旨の表示２２等を印刷するので、支持シート２１は印刷に適した素材で構成することが望ましい。
【００２０】
また、第２の御守り本体２は、第１の御守り本体１から分離・剥離して、その吸着シート２１の吸着力によって被着体に貼り付けられる。しかし、被着体の貼付面が湾曲している場合も想定されるので、支持シート２１の構成素材としては比較的可撓性のある素材を選択するのが望ましい。そのような素材を選択すれば、被着体の湾曲に沿って第２の御守り本体２をぴったり貼り付けることができ、それによって吸着シート２１の吸着力が有効に発揮され、被着体からの第２の御守り本体２の脱落を効果的に防止できる。
【００２１】
支持シート２１上に印刷してなる御守りである旨の表示２２の内容は、前述したカード基材１０の表面に印刷してある御守りである旨の表示１１と同様に、御守りの種類によって適宜変更される。なお、本実施形態においては、第１の御守り本体１と第２の御守り本体２とで御守り内容の整合性を持たせるため、それぞれの御守りである旨の表示１１は同一内容（具体的には双方とも交通安全）にしている。
【００２２】
次に、上記の如く構成された本実施形態の御守りＤの販売形態や使用方法などについて図１及び図３を基に説明する。
【００２３】
本実施形態の御守りＤは、図１のように、第１の御守り本体１のフィルム１２上に第２の御守り本体２を貼り付けることで一体にし、この状態でビニール袋等に袋詰めして販売される。
【００２４】
本御守りＤは交通安全の御守りであるので、本御守りＤの購入者は、たとえば、第１の御守り本体１から第２の御守り本体２を剥離・分離し、分離した第２の御守り本体２は吸着シート２０の吸着力によって、図３のように運転者にとって見やすい場所、例えば車輌のハンドルやフロントガラス等の平滑な面に貼り付けることができる。
【００２５】
以上のようにして取り付けられた第２の御守り本体２は、吸着シート２０の吸着力によってハンドルやフロントガラス等の被着体に一体に貼り付いているから、被着体が揺れても第２の御守り本体２は被着体と一体に揺れるだけであり、被着体とは別個独立に第２の御守り本体２が大きく揺れることはないから、運転の邪魔になることはない。
【００２６】
一方、第１の御守り本体１は、例えば図３のように助手席のダッシュボードやコンソールボックス等、大事な物の保管場所に収納しておくことができる。また、第１の御守り本体１は、カードサイズなので薄くて嵩張らず、クレジットカード等のカード入れや御財布等に収納して携帯したり、ポケットに直接入れて携帯したりする等、各種携帯形式ないし携帯態様に対応できる。
【００２７】
また、本実施形態の御守りＤによると、第１の御守り本体１の収納によって第１の御守り本体１を直接目視することができなくても、第１の御守り本体１から分離した第２の御守り本体２を上述のように見やすい場所に貼り付けておくことができるので、常に御守りの存在感を直接身近に感じ取れて安心感が得られる。
【符号の説明】
【００２８】
１  第１の御守り本体
１０  カード基材
１１  御守りである旨の表示
１２  フィルム
１３  接着剤
１４  出所表示
２  第２の御守り本体
２０  吸着シート
２０Ａ  吸盤
２１  支持シート
２２  御守りである旨の表示
Ｄ  御守り
【図１】
2010279634.tif 000003
【図２】
2010279634.tif 000004
【図３】
2010279634.tif 000005